(57)【要約】【課題】プラズマディスプレイパネルのコントラストの低下を抑制しつつ、座標検出のための発光を発生させる。【解決手段】同期検出放電を発生させる同期検出サブフィールドＳＦｏと、ｙ座標検出放電を発生させるｙ座標検出サブフィールドＳＦｙと、ｘ座標検出放電を発生させるｘ座標検出サブフィールドＳＦｘと、を含む複数のサブフィールドで１フィールド期間を構成し、同期検出サブフィールドＳＦｏは、データ電極に書込みパルスを印加するとともに走査電極に走査パルスを印加して書込み放電を発生させる書込み期間Ｐｗ２と、走査電極と維持電極とに交互に同期検出パルスを印加して同期検出放電を発生させる同期検出期間Ｐｏとを有し、同期検出サブフィールドＳＦｏの書込み期間Ｐｗ２において、あらかじめ定められた所定色の蛍光体層を有する放電セルのデータ電極のみに書込みパルスを印加して書込み放電を発生させる。【選択図】図４
2015165252.tif 000002
【特許請求の範囲】
【請求項１】
赤色、緑色、青色のいずれかの蛍光体層を有する放電セルを、走査電極および維持電極とデータ電極との交差部のそれぞれに形成したプラズマディスプレイパネルを用いた画像表示装置の駆動方法であって、
画像を表示するための画像表示サブフィールドと、同期検出放電を発生させる同期検出サブフィールドと、ｙ座標検出放電を発生させるｙ座標検出サブフィールドと、ｘ座標検出放電を発生させるｘ座標検出サブフィールドと、を含む複数のサブフィールドで１フィールド期間を構成し、
前記同期検出サブフィールドは、前記データ電極に書込みパルスを印加するとともに前記走査電極に走査パルスを印加して書込み放電を発生させる書込み期間と、前記走査電極と前記維持電極とに交互に同期検出パルスを印加して同期検出放電を発生させる同期検出期間とを有し、
前記同期検出サブフィールドの書込み期間において、あらかじめ定められた所定色の蛍光体層を有する放電セルのデータ電極のみに前記書込みパルスを印加して前記書込み放電を発生させることを特徴とする画像表示装置の駆動方法。
【請求項２】
前記ｙ座標検出サブフィールドは、前記データ電極にｙ座標検出電圧を印加するとともに前記走査電極にｙ座標検出パルスを順次印加してｙ座標検出放電を発生させるｙ座標検出期間を有し、
前記ｙ座標検出サブフィールドのｙ座標検出期間において、前記所定色以外の色の蛍光体層を有する放電セルのデータ電極のみに前記ｙ座標検出電圧を印加して前記ｙ座標検出放電を発生させることを特徴とする請求項１に記載の画像表示装置の駆動方法。
【請求項３】
前記ｘ座標検出サブフィールドは、前記走査電極にｘ座標検出電圧を印加するとともに前記データ電極にｘ座標検出パルスを順次印加してｘ座標検出放電を発生させるｘ座標検出期間を有し、
前記ｘ座標検出サブフィールドのｘ座標検出期間において、前記所定色以外の色の蛍光体層を有する放電セルのデータ電極のみに前記ｘ座標検出パルスを順次印加して前記ｘ座標検出放電を発生させることを特徴とする請求項１に記載の画像表示装置の駆動方法。
【請求項４】
前記所定色は青色であることを特徴とする請求項１に記載の画像表示装置の駆動方法。
【請求項５】
赤色、緑色、青色のいずれかの蛍光体層を有する放電セルを、走査電極および維持電極とデータ電極との交差部のそれぞれに形成したプラズマディスプレイパネルと、１フィールド期間を複数のサブフィールドで構成して前記プラズマディスプレイパネルを駆動する駆動回路とを備えた画像表示装置であって、
前記駆動回路は、
画像を表示するための画像表示サブフィールドと、同期検出放電を発生させる同期検出サブフィールドと、ｙ座標検出放電を発生させるｙ座標検出サブフィールドと、ｘ座標検出放電を発生させるｘ座標検出サブフィールドと、を含む複数のサブフィールドで１フィールド期間を構成し、
前記同期検出サブフィールドは、前記データ電極に書込みパルスを印加するとともに前記走査電極に走査パルスを印加して書込み放電を発生させる書込み期間と、前記走査電極と前記維持電極とに交互に同期検出パルスを印加して同期検出放電を発生させる同期検出期間とを有し、
前記同期検出サブフィールドの書込み期間において、あらかじめ定められた所定色の蛍光体層を有する放電セルのデータ電極のみに前記書込みパルスを印加して前記書込み放電を発生させる構成であることを特徴とする画像表示装置。
【請求項６】
請求項５に記載の画像表示装置と、電子ペンと、描画装置とを備え、
前記電子ペンは、前記画像表示装置の発光を受光して受光信号を出力する受光素子と、前記ｙ座標検出サブフィールドおよび前記ｘ座標検出サブフィールドと同期した座標基準信号を前記受光信号にもとづき作成する同期検出部と、前記電子ペンが指し示す前記画像表示装置の表示画面上の座標を前記座標基準信号と前記受光信号にもとづき算出する座標算出部と、前記座標算出部が算出した座標を前記描画装置に送信する送信部とを有し、
前記描画装置は、前記電子ペンから送信された座標を受信する受信部と、前記受信部で受信した座標にもとづき描画信号を作成して前記画像表示装置に出力する描画部とを有する
ことを特徴とする画像表示システム。
【発明の詳細な説明】
【技術分野】
【０００１】
本発明は、画像表示装置の駆動方法、画像表示装置、および電子ペンを用いて手書き入力が可能な画像表示システムに関する。
【背景技術】
【０００２】
画像表示装置として代表的なプラズマディスプレイパネルは、１対の走査電極と維持電極とからなる表示電極対が複数形成された前面基板と、複数のデータ電極が形成された背面基板とを対向配置し、その間に多数の放電セルが形成されている。そして放電セル内でガス放電により紫外線を発生させ、この紫外線で赤色、緑色および青色の各色の蛍光体を励起発光させてカラー表示を行う。
【０００３】
プラズマディスプレイパネルを駆動する方法としては、１フィールド期間を複数のサブフィールドで構成し、発光させるサブフィールドの組み合わせによって画像表示を行うサブフィールド法が一般的である。各サブフィールドは、初期化期間、書込み期間および維持期間を有する。初期化期間では初期化放電を発生し、書込み放電に必要な壁電荷を形成する。書込み期間では、表示する画像に応じて放電セルで選択的に書込み放電を発生し、維持放電に必要な壁電荷を形成する。そして維持期間では、走査電極と維持電極とに交互に維持パルスを印加して維持放電を発生させ、対応する放電セルの蛍光体層を発光させる。
【０００４】
サブフィールド法の中でも、全ての放電セルで強制的に初期化放電を発生させる強制初期化動作を行う回数を１フィールドに１回とし、さらに傾斜電圧を用いて初期化放電を発生させることで、画像表示に関係しない発光を極力減らしてコントラストを向上させた駆動方法が、例えば特許文献１に開示されている。
【０００５】
近年は、このようなプラズマディスプレイパネルを用いて、黒板やホワイトボードのように、画像表示面上から、文字や絵などを入力できる電子黒板としての応用も検討されている。例えば特許文献２には、位置座標検出時にのみ１フィールド中に位置座標検出期間を設けて、この期間内に位置座標検出用の発光を発生させ、その発光を電子ペンで検出するタイミングにより位置座標を検出する方法が記載されている。
【先行技術文献】
【特許文献】
【０００６】
【特許文献１】特開２０００−２４２２２４号公報
【特許文献２】特開２００１−３１８７６５号公報
【発明の概要】
【発明が解決しようとする課題】
【０００７】
このように、画像表示装置と、電子ペンと、電子ペンの指し示す座標に基づく画像信号を作成する描画装置とを用いて、電子ペンで描画可能な画像表示システムを構成することができる。しかしながら位置座標検出のための発光を発生させると、画像表示に関係しない発光が増加するためコントラストが低下するという課題があった。
【０００８】
本発明は上記の課題に鑑みなされたものであり、コントラストの低下を抑制しつつ、座標検出のための発光を発生させる画像表示装置の駆動方法、画像表示装置、および電子ペンを用いて描画可能な画像表示システムを提供することを目的とする。
【課題を解決するための手段】
【０００９】
上記目的を達成するために本発明は、赤色、緑色、青色のいずれかの蛍光体層を有する放電セルを走査電極および維持電極とデータ電極との交差部のそれぞれに形成したプラズマディスプレイパネルを用いた画像表示装置の駆動方法であって、画像を表示するための画像表示サブフィールドと、同期検出放電を発生させる同期検出サブフィールドと、ｙ座標検出放電を発生させるｙ座標検出サブフィールドと、ｘ座標検出放電を発生させるｘ座標検出サブフィールドと、を含む複数のサブフィールドで１フィールド期間を構成し、同期検出サブフィールドは、データ電極に書込みパルスを印加するとともに走査電極に走査パルスを印加して書込み放電を発生させる書込み期間と、走査電極と維持電極とに交互に同期検出パルスを印加して同期検出放電を発生させる同期検出期間とを有し、同期検出サブフィールドの書込み期間において、あらかじめ定められた所定色の蛍光体層を有する放電セルのデータ電極のみに書込みパルスを印加して書込み放電を発生させることを特徴とする。この方法により、コントラストの低下を抑制しつつ、座標検出のための発光を発生させる画像表示装置の駆動方法を提供することができる。
【００１０】
また本発明の画像表示装置の駆動方法のｙ座標検出サブフィールドは、データ電極にｙ座標検出電圧を印加するとともに走査電極にｙ座標検出パルスを順次印加してｙ座標検出放電を発生させるｙ座標検出期間を有し、ｙ座標検出サブフィールドのｙ座標検出期間において、上記所定色以外の色の蛍光体層を有する放電セルのデータ電極のみにｙ座標検出電圧を印加してｙ座標検出放電を発生させてもよい。
【００１１】
また本発明の画像表示装置の駆動方法のｘ座標検出サブフィールドは、走査電極にｘ座標検出電圧を印加するとともにデータ電極にｘ座標検出パルスを順次印加してｘ座標検出放電を発生させるｘ座標検出期間を有し、ｘ座標検出サブフィールドのｘ座標検出期間において、上記所定色以外の色の蛍光体層を有する放電セルのデータ電極のみにｘ座標検出パルスを順次印加してｘ座標検出放電を発生させてもよい。
【００１２】
また本発明の画像表示装置の駆動方法の上記所定色は青色であることが望ましい。
【００１３】
また本発明は、赤色、緑色、青色のいずれかの蛍光体層を有する放電セルを走査電極および維持電極とデータ電極との交差部のそれぞれに形成したプラズマディスプレイパネルと、１フィールド期間を複数のサブフィールドで構成してプラズマディスプレイパネルを駆動する駆動回路とを備えた画像表示装置であって、駆動回路は、画像を表示するための画像表示サブフィールドと同期検出放電を発生させる同期検出サブフィールドとｙ座標検出放電を発生させるｙ座標検出サブフィールドとｘ座標検出放電を発生させるｘ座標検出サブフィールドとを含む複数のサブフィールドで１フィールド期間を構成し、同期検出サブフィールドは、データ電極に書込みパルスを印加するとともに走査電極に走査パルスを印加して書込み放電を発生させる書込み期間と、走査電極と維持電極とに交互に同期検出パルスを印加して同期検出放電を発生させる同期検出期間とを有し、同期検出サブフィールドの書込み期間において、あらかじめ定められた所定色の蛍光体層を有する放電セルのデータ電極のみに書込みパルスを印加して書込み放電を発生させる構成であることを特徴とする。この構成により、コントラストの低下を抑制しつつ、座標検出のための発光を発生させる画像表示装置を提供することができる。
【００１４】
また本発明の画像表示システムは、上記に記載の画像表示装置と、電子ペンと、描画装置とを備え、電子ペンは、画像表示装置の発光を受光して受光信号を出力する受光素子と、ｙ座標検出サブフィールドおよびｘ座標検出サブフィールドと同期した座標基準信号を受光信号にもとづき作成する同期検出部と、電子ペンが指し示す画像表示装置の表示画面上の座標を座標基準信号と受光信号にもとづき算出する座標算出部と、座標算出部が算出した座標を描画装置に送信する送信部とを有し、描画装置は、電子ペンから送信された座標を受信する受信部と、受信部で受信した座標にもとづき描画信号を作成して画像表示装置に出力する描画部とを有することを特徴とする。この構成により、コントラストの低下を抑制しつつ、座標検出のための発光を発生させ、電子ペンを用いて描画可能な画像表示システムを提供することができる。
【発明の効果】
【００１５】
本発明によれば、コントラストの低下を抑制しつつ、座標検出のための発光を発生させる画像表示装置の駆動方法、画像表示装置、および電子ペンを用いて描画可能な画像表示システムを提供することが可能となる。
【図面の簡単な説明】
【００１６】
【図１】本発明の実施の形態１における画像表示システムのパネルの分解斜視図である。
【図２】同画像表示システムのパネルの電極配列図である。
【図３】同画像表示システムのパネルに印加する駆動電圧波形図である。
【図４】同画像表示システムのパネルに印加する駆動電圧波形図である。
【図５】同画像表示システムの回路ブロック図である。
【図６】同画像表示システムの位置座標検出方法を説明するタイミングチャートである。
【図７】同画像表示システムの位置座標検出方法を説明する模式図である。
【図８】同画像表示システムの描画の一例を示す模式図である。
【図９】本発明の実施の形態２における画像表示システムのパネルに印加する駆動電圧波形図である。
【図１０】同画像表示システムの特定の走査電極とフィールドとの関係を示す図である。
【発明を実施するための形態】
【００１７】
以下、本発明の実施の形態における画像表示システムについて、プラズマディスプレイパネル（以下、「パネル」と略記する）を用いた画像表示システムを例に、図面を用いて説明する。
【００１８】
（実施の形態１）
まず、パネルおよびその駆動方法について説明する。
【００１９】
図１は、本発明の実施の形態１における画像表示システムのパネル１０の分解斜視図である。ガラス製の前面基板１１上には、走査電極１２と維持電極１３とからなる表示電極対１４が複数形成されている。そして表示電極対１４を覆うように誘電体層１５が形成され、その誘電体層１５上に保護層１６が形成されている。背面基板２１上にはデータ電極２２が複数形成され、データ電極２２を覆うように誘電体層２３が形成され、さらにその上に井桁状の隔壁２４が形成されている。そして、隔壁２４の側面および誘電体層２３上には赤色に発光する蛍光体層２５Ｒ、緑色に発光する蛍光体層２５Ｇ、および青色の各色に発光する蛍光体層２５Ｂのいずれかの蛍光体層２５が設けられている。
【００２０】
これら前面基板１１と背面基板２１とは、微小な放電空間を挟んで表示電極対１４とデータ電極２２とが交差するように対向配置され、その外周部をガラスフリット等の封着材によって封着されている。そして放電空間には放電ガスが封入されている。放電空間は隔壁２４によって複数の区画に仕切られており、走査電極１２および維持電極１３とデータ電極２２との交差部のそれぞれに赤色、緑色、青色のいずれかの蛍光体層を有する放電セルが形成されている。そしてこれらの放電セルが放電、発光することにより画像が表示される。
【００２１】
なお、パネル１０の構造は上述したものに限られるわけではなく、例えばストライプ状の隔壁を備えたものであってもよい。
【００２２】
図２は、本発明の実施の形態１における画像表示システムのパネル１０の電極配列図である。パネル１０には、行方向に延びたｎ本の走査電極ＳＣ１〜ＳＣｎ（図１の走査電極１２）およびｎ本の維持電極ＳＵ１〜ＳＵｎ（図１の維持電極１３）が配列され、列方向に延びたｍ本のデータ電極Ｄ１〜Ｄｍ（図１のデータ電極２２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。ここで隣接する３本のデータ電極と１対の表示電極対との交差する部分に形成される３個の放電セルは、赤のサブピクセル、緑のサブピクセル、青のサブピクセルである。そして赤のサブピクセル、緑のサブピクセル、青のサブピクセルが一組で１つの画素を構成する。したがって、例えばパネル１０が１０８０×１９２０の画素をもつ高精細度パネルであれば、ｎ＝１０８０、ｍ＝１９２０×３＝５７６０である。
【００２３】
次に、画像表示装置の駆動電圧波形について説明する。本実施の形態においては、１フィールド期間を、画像を表示するための複数の画像表示サブフィールドと、座標を検出するための複数の座標検出サブフィールドとで構成する。
【００２４】
まず画像表示サブフィールドの詳細について説明する。画像表示サブフィールドは、あらかじめ定められた輝度重みを持つ複数のサブフィールドで構成され、それぞれの画像表示サブフィールドにおいて、発光・非発光を放電セル毎に制御することにより画像を表示する。
【００２５】
本実施の形態における画像表示サブフィールドは、初期化期間と書込み期間と維持期間とを有する８個のサブフィールドＳＦ１〜ＳＦ８であり、サブフィールドＳＦ１〜ＳＦ８それぞれの輝度重みは、例えば（１、３４、２１、１３、８、５、３、２）である。そして最初に配置されたサブフィールドＳＦ１の初期化期間では、以前の放電の履歴にかかわらず強制的に初期化放電を発生させる強制初期化動作を行う。サブフィールドＳＦ２〜ＳＦ８の初期化期間では、直前のサブフィールドで放電を発生させた放電セルのみで初期化放電を発生させる選択初期化動作を行う。しかしサブフィールド数、輝度重み等のサブフィールド構成は、上記に限定されるものではない。
【００２６】
図３は、本発明の実施の形態１における画像表示システムのパネル１０に印加する駆動電圧波形図であり、画像表示サブフィールドのうちのサブフィールドＳＦ１〜ＳＦ３においてパネル１０の各電極に印加する駆動電圧波形を示している。
【００２７】
サブフィールドＳＦ１の初期化期間Ｐｉでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧Ｖｉ１から電圧Ｖｉ２まで上昇する上り傾斜電圧を印加する。次にデータ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧０（Ｖ）から電圧Ｖｉ４まで下降する下り傾斜電圧を印加する。
【００２８】
すると全ての放電セルで微弱な初期化放電が発生して、走査電極ＳＣ１〜ＳＣｎ上の壁電圧および維持電極ＳＵ１〜ＳＵｎ上の壁電圧が弱められ、データ電極Ｄ１〜Ｄｍ上の壁電圧は書込み動作に適した値に調整される。なお、微弱な初期化放電にともなう発光の輝度は低い。
【００２９】
続く書込み期間Ｐｗ１では、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧Ｖｃを印加する。
【００３０】
次に、１行目の走査電極ＳＣ１に電圧Ｖａの走査パルスを印加するとともに、データ電極Ｄ１〜Ｄｍのうち１行目に発光させるべき放電セルのデータ電極Ｄｋ（ｋ＝１〜ｍ）に電圧Ｖｄの書込みパルスを印加する。すると書込みパルスを印加した１行目の放電セルで書込み放電が発生し、走査電極ＳＣ１上および維持電極ＳＵ１上に壁電圧が蓄積される。こうして、１行目に発光させるべき放電セルで書込み動作が行われる。一方、書込みパルスを印加しなかった放電セルでは書込み動作は行われない。次に、２行目の走査電極ＳＣ２に走査パルスを印加するとともに、データ電極Ｄ１〜Ｄｍのうち２行目に発光させるべき放電セルのデータ電極Ｄｋに書込みパルスを印加する。すると書込みパルスを印加した２行目の放電セルで書込み放電が発生する。
【００３１】
以下同様に、走査電極ＳＣ３〜ＳＣｎに走査パルスを順次印加するとともに発光させるべき放電セルのデータ電極Ｄｋに書込みパルスを印加して、３行目〜ｎ行目に発光させるべき放電セルで書込み放電を順次発生させる。なおこのとき発生する書込み放電は、後述する維持放電に比較するとやや弱い放電であり、放電にともなう発光の輝度もやや低い。
【００３２】
続く維持期間Ｐｓでは、データ電極Ｄ１〜Ｄｍに電圧０（Ｖ）を印加する。そして走査電極ＳＣ１〜ＳＣｎに電圧Ｖｓの維持パルスを印加するとともに維持電極ＳＵ１〜ＳＵｎに電圧０（Ｖ）を印加する。すると書込み放電を起こした放電セルでは維持放電が発生する。そして走査電極ＳＣｉ上および維持電極ＳＵｉ上の壁電圧の極性が反転する。書込み動作を行わなかった放電セルでは維持放電は発生せず、初期化期間Ｐｉの終了時における壁電圧が保たれる。
【００３３】
続いて、走査電極ＳＣ１〜ＳＣｎに電圧０（Ｖ）を印加するとともに維持電極ＳＵ１〜ＳＵｎに維持パルスを印加する。すると維持放電を起こした放電セルでは再び維持放電が発生する。そして走査電極ＳＣｉ上の壁電圧および維持電極ＳＵｉ上の壁電圧の極性が反転する。以下同様に輝度重みに応じた数の維持パルスを走査電極ＳＣ１〜ＳＣｎと維持電極ＳＵ１〜ＳＵｎとに交互に印加し、書込み期間Ｐｗ１において書込み放電を起こした放電セルで維持放電を継続して発生させる。なおこのとき発生する維持放電は強い放電であり、放電にともなう発光の輝度も高い。
【００３４】
そして維持期間Ｐｓの最後には、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧０（Ｖ）から電圧Ｖｒまで上昇する上り傾斜電圧を印加する。すると、維持放電を発生した放電セルで微弱な消去放電が発生して、データ電極Ｄｋ上の壁電圧を残したまま、走査電極ＳＣｉ上および維持電極ＳＵｉ上の壁電圧が弱められる。
【００３５】
サブフィールドＳＦ２の初期化期間Ｐｉでは、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧０（Ｖ）から電圧Ｖｉ４まで下降する下り傾斜電圧を印加する。すると、直前のサブフィールドＳＦ１で維持放電を起こした放電セルでは微弱な初期化放電が発生し、走査電極ＳＣｉ上の壁電圧および維持電極ＳＵｉ上の壁電圧が弱められ、データ電極Ｄｋ上の壁電圧は書込み動作に適した値に調整される。一方、直前のサブフィールドＳＦ１で維持放電を起こさなかった放電セルについては放電することはなく、直前のサブフィールドＳＦ１の初期化期間Ｐｉ終了時における壁電圧が保たれる。
【００３６】
サブフィールドＳＦ２の書込み期間Ｐｗ１の動作はサブフィールドＳＦ１の書込み期間Ｐｗ１の動作と同様であるため説明を省略する。続く維持期間Ｐｓの動作も維持パルスの数を除いてサブフィールドＳＦ１の維持期間Ｐｓの動作と同様である。サブフィールドＳＦ３〜ＳＦ８の動作も、維持パルスの数を除いてサブフィールドＳＦ２の動作と同様である。
【００３７】
次に座標検出サブフィールドについて説明する。座標検出サブフィールドは、同期検出サブフィールドＳＦｏと、ｙ座標検出サブフィールドＳＦｙと、ｘ座標検出サブフィールドＳＦｘとを有する。同期検出サブフィールドＳＦｏは、電子ペンがｙ座標検出サブフィールドおよびｘ座標検出サブフィールドと同期をとるための発光を発生するサブフィールドであり、初期化期間Ｐｉと書込み期間Ｐｗ２と同期検出期間Ｐｏとを有する。ｙ座標検出サブフィールドＳＦｙは電子ペンが指し示す画像表示面上のｙ座標を検出するための発光を発生するサブフィールドであり、初期化期間Ｐｉとｙ座標検出期間Ｐｙと消去期間Ｐｅとを有する。ｘ座標検出サブフィールドＳＦｘは電子ペンが指し示す画像表示面上のｘ座標を検出するための発光を発生するサブフィールドであり、初期化期間Ｐｉとｘ座標検出期間Ｐｘと消去期間Ｐｅとを有する。なおここでは、行方向の座標をｘ座標、列方向の座標をｙ座標とした。
【００３８】
図４は、本発明の実施の形態１における画像表示システムのパネル１０に印加する駆動電圧波形図であり、座標検出サブフィールドのそれぞれにおいてパネル１０の各電極に印加する駆動電圧波形を示している。
【００３９】
同期検出サブフィールドＳＦｏの初期化期間Ｐｉでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧Ｖｉ１から電圧Ｖｉ２まで上昇する上り傾斜電圧を印加する。このとき図４に示したように、データ電極Ｄ１〜Ｄｍを電圧０（Ｖ）にした後でハイインピーダンス状態としてもよい。次にデータ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧０（Ｖ）から電圧Ｖｉ４まで下降する下り傾斜電圧を印加する。このとき図４に示したように、維持電極ＳＵ１〜ＳＵｎに電圧Ｖｅを印加した後にハイインピーダンス状態に設定してもよい。
【００４０】
すると全ての放電セルで微弱な初期化放電が発生して、走査電極ＳＣ１〜ＳＣｎ上の壁電圧および維持電極ＳＵ１〜ＳＵｎ上の壁電圧が弱められ、データ電極Ｄ１〜Ｄｍ上の壁電圧は書込み動作に適した値に調整される。
【００４１】
同期検出サブフィールドＳＦｏの書込み期間Ｐｗ２では、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧Ｖｃを印加する。その後、あらかじめ定められた所定色の蛍光体層を有する放電セルのデータ電極、本実施の形態においては青のサブピクセルに対応する放電セルのデータ電極Ｄ３、Ｄ６、Ｄ９、・・・、Ｄｍに電圧Ｖｄの書込みパルスを印加するとともに、走査電極ＳＣ１〜ＳＣｎに電圧Ｖａの走査パルスを順次印加する。すると青のサブピクセルに対応する放電セルで書込み放電が順次発生する。
【００４２】
その後、データ電極Ｄ１〜Ｄｍに電圧０（Ｖ）を印加し、走査電極ＳＣ１〜ＳＣｎに電圧Ｖｃを印加する。
【００４３】
同期検出サブフィールドＳＦｏの同期検出期間Ｐｏでは、最後の書込み放電を発生させた時刻ｔｏ０から時間Ｔｏ０経過後の時刻ｔｏ１において、走査電極ＳＣ１〜ＳＣｎに電圧Ｖｓｏの同期検出パルスを印加するとともに維持電極ＳＵ１〜ＳＵｎに電圧０（Ｖ）を印加して、青のサブピクセルに対応する放電セルで同期検出放電を発生させて画像表示面を青色に発光させる。次に、時刻ｔｏ１から時間Ｔｏ１経過後の時刻ｔｏ２において、走査電極ＳＣ１〜ＳＣｎに電圧０（Ｖ）を印加するとともに維持電極ＳＵ１〜ＳＵｎに電圧Ｖｓｏの同期検出パルスを印加して、青のサブピクセルに対応する放電セルで再び同期検出放電を発生させて画像表示面を青色に発光させる。次に、時刻ｔｏ２から時間Ｔｏ２経過後の時刻ｔｏ３において、走査電極ＳＣ１〜ＳＣｎに同期検出パルスを印加するとともに維持電極ＳＵ１〜ＳＵｎに電圧０（Ｖ）を印加して、青のサブピクセルに対応する放電セルで３回目の同期検出放電を発生させて画像表示面を青色に発光させる。続いて時刻ｔｏ３から時間Ｔｏ３経過後の時刻ｔｏ４において、走査電極ＳＣ１〜ＳＣｎに電圧０（Ｖ）を印加するとともに維持電極ＳＵ１〜ＳＵｎに同期検出パルスを印加して、青のサブピクセルに対応する放電セルで４回目の同期検出放電を発生させて画像表示面を青色に発光させる。
【００４４】
そして同期検出期間Ｐｏの最後には、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧０（Ｖ）から電圧Ｖｒまで上昇する上り傾斜電圧を印加する。すると、青のサブピクセルに対応する放電セルで微弱な消去放電が発生して、走査電極ＳＣｉ上および維持電極ＳＵｉ上の壁電圧が弱められる。
【００４５】
ここで、時間Ｔｏ１、時間Ｔｏ２、時間Ｔｏ３はあらかじめ定められた時間間隔であり、後述するように、時間Ｔｏ１、時間Ｔｏ２、時間Ｔｏ３の間隔で青色のサブピクセルに対応する放電セルにおいて発生する４回の放電を検出することで同期検出放電を特定している。本実施の形態において、時間Ｔｏ０、時間Ｔｏ１、時間Ｔｏ２、時間Ｔｏ３は、例えばそれぞれ５０μｓ、４０μｓ、２０μｓ、３０μｓである。なおこのとき発生する同期検出放電そのものは、維持放電と同様の強い放電である。しかし本実施の形態においては、同期検出放電を発生する青色のサブピクセルに対応する放電セルの数は全体の１／３であり、かつ放電にともなう発光色が輝度の低い青色であるので、同期検出放電にともなう発光の輝度は大幅に抑制される。
【００４６】
ｙ座標検出サブフィールドＳＦｙの初期化期間Ｐｉでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧０（Ｖ）から電圧Ｖｉ４まで下降する下り傾斜電圧を印加する。次にデータ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧Ｖｓを印加する。次に維持電極ＳＵ１〜ＳＵｎに電圧Ｖｓを印加し、走査電極ＳＣ１〜ＳＣｎに電圧０（Ｖ）を印加する。次に維持電極ＳＵ１〜ＳＵｎに電圧Ｖｅを印加し、走査電極ＳＣ１〜ＳＣｎに電圧０（Ｖ）から電圧Ｖｉ４まで下降する下り傾斜電圧を印加する。なおこのときも図４に示したように、維持電極ＳＵ１〜ＳＵｎに電圧Ｖｅを印加した後にハイインピーダンス状態に設定してもよい。
【００４７】
すると、青のサブピクセルに対応する放電セルで微弱な初期化放電が発生し、走査電極ＳＣ１〜ＳＣｎ上の壁電圧および維持電極ＳＵ１〜ＳＵｎ上の壁電圧が弱められる。
【００４８】
ｙ座標検出サブフィールドＳＦｙのｙ座標検出期間Ｐｙでは、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧Ｖｃを印加する。
【００４９】
次に、所定色以外の色の蛍光体層を有する放電セルのデータ電極、本実施の形態においては赤のサブピクセルに対応する放電セルのデータ電極Ｄ１、Ｄ４、Ｄ７、・・・、Ｄｍ−２、および緑のサブピクセルに対応する放電セルのデータ電極Ｄ２、Ｄ５、Ｄ８、・・・、Ｄｍ−１にｙ座標検出電圧Ｖｄｙを印加する。そして、１行目の走査電極ＳＣ１に電圧Ｖａｙのｙ座標検出パルスを印加する。すると１行目の赤のサブピクセルに対応する放電セルおよび緑のサブピクセルに対応する放電セルでｙ座標検出のための放電が発生する。こうして１行目の画素行が黄色に発光する。
【００５０】
次に、赤のサブピクセルおよび緑のサブピクセルに対応する放電セルのデータ電極にｙ座標検出電圧Ｖｄｙを印加したまま、２行目の走査電極ＳＣ２にｙ座標検出パルスを印加する。すると２行目の赤のサブピクセルおよび緑のサブピクセルに対応する放電セルでｙ座標検出のための放電が発生する。こうして２行目の画素行が黄色に発光する。
【００５１】
以下同様に、赤のサブピクセルおよび緑のサブピクセルに対応するデータ電極にｙ座標検出電圧Ｖｄｙを印加したまま、走査電極ＳＣ３〜ＳＣｎにｙ座標検出パルスを順次印加して、３行目〜ｎ行目の画素行を順次黄色に発光させる。
【００５２】
こうしてｙ座標検出期間Ｐｙでは、画像表示面の上端部から下端部まで移動する黄色の横線が表示される。そのため後述するように、電子ペンで横線の発光を受光し、発光のタイミングを知ることで電子ペンが指し示す画像表示面のｙ座標を検出することができる。ただし横線の移動する速度は非常に速いので、視覚的には画像表示面全体が僅かに明るくなったようにしか見えない。
【００５３】
ｙ座標検出サブフィールドＳＦｙの消去期間Ｐｅでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧０（Ｖ）から電圧Ｖｒまで上昇する上り傾斜電圧を印加して、赤のサブピクセルおよび緑のサブピクセルに対応する放電セルで微弱な消去放電を発生させる。
【００５４】
ｘ座標検出サブフィールドＳＦｘの初期化期間Ｐｉでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧Ｖｉ１から電圧Ｖｉ２まで上昇する上り傾斜電圧を印加する。このとき図４に示したように、データ電極Ｄ１〜Ｄｍを電圧０（Ｖ）にした後でハイインピーダンス状態としてもよい。次にデータ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧０（Ｖ）から電圧Ｖａまで下降する下り傾斜電圧を印加する。さらに走査電極ＳＣ１〜ＳＣｎに電圧０（Ｖ）から電圧Ｖｒまで上昇する上り傾斜電圧を印加し、その後、走査電極ＳＣ１〜ＳＣｎに電圧０（Ｖ）からｘ座標検出電圧Ｖａｘまで下降する下り傾斜電圧を印加する。
【００５５】
すると全ての放電セルで微弱な初期化放電が発生して、走査電極ＳＣ１〜ＳＣｎ上の壁電圧および維持電極ＳＵ１〜ＳＵｎ上の壁電圧が弱められ、データ電極Ｄ１〜Ｄｍ上の壁電圧はｘ座標検出のための放電に適した値に調整される。
【００５６】
ｘ座標検出サブフィールドＳＦｘのｘ座標検出期間Ｐｘでは、走査電極ＳＣ１〜ＳＣｎにｘ座標検出電圧Ｖａｘを印加したまま、所定色以外の色、本実施の形態においては赤のサブピクセルおよび緑のサブピクセルに対応する１列目〜２列目のデータ電極Ｄ１〜Ｄ２に電圧Ｖｄｘのｘ座標検出パルスを印加する。すると１列目〜２列目の放電セルでｘ座標検出のための放電が発生する。こうして１列目の画素列が黄色に発光する。
【００５７】
次に、走査電極ＳＣ１〜ＳＣｎにｘ座標検出電圧Ｖａｘを印加したまま、所定色以外の色、本実施の形態においては赤のサブピクセルおよび緑のサブピクセルに対応する４列目〜５列目のデータ電極Ｄ４〜Ｄ５にｘ座標検出パルスを印加する。すると４列目〜５列目の放電セルでｘ座標検出のための放電が発生する。こうして２列目の画素列が黄色に発光する。
【００５８】
以下同様に、走査電極ＳＣ１〜ＳＣｎにｘ座標検出電圧Ｖａｘを印加したまま、赤のサブピクセルおよび緑のサブピクセルに対応するデータ電極にｘ座標検出パルスを順次印加して、赤のサブピクセルおよび緑のサブピクセルに対応する放電セル列を２列ずつ、ｍ−１列目の放電セル列に至るまで順次黄色に発光させる。
【００５９】
こうしてｘ座標検出期間Ｐｘでは、画像表示面の左端部から右端部まで移動する黄色の縦線が表示される。そのため後述するように、電子ペンで縦線の発光を受光し、発光のタイミングを知ることで電子ペンが指し示す画像表示面のｘ座標を検出することができる。ただし縦線の移動する速度は非常に速いので、視覚的には画像表示面全体が僅かに明るくなったようにしか見えない。
【００６０】
ｘ座標検出サブフィールドＳＦｘの消去期間Ｐｅでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧０（Ｖ）から電圧Ｖｒまで上昇する上り傾斜電圧を印加する。その後、走査電極ＳＣ１〜ＳＣｎに電圧Ｖｉ１から電圧Ｖｉ２まで上昇する上り傾斜電圧を印加する。このとき図４に示したように、データ電極Ｄ１〜Ｄｍを電圧０（Ｖ）にした後でハイインピーダンス状態としてもよい。そしてデータ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧０（Ｖ）から電圧Ｖｉ４まで下降する下り傾斜電圧を印加する。こうして、全ての放電セルで微弱な消去放電を発生させる。
【００６１】
以上のように本実施の形態において、同期検出サブフィールドＳＦｏは、データ電極Ｄ１〜Ｄｍに書込みパルスを印加するとともに走査電極ＳＣ１〜ＳＣｎに走査パルスを印加して書込み放電を発生させる書込み期間Ｐｗ２と、走査電極ＳＣ１〜ＳＣｎと維持電極ＳＵ１〜ＳＵｎとに交互に同期検出パルスを印加して同期検出放電を発生させる同期検出期間Ｐｏとを有する。そして、同期検出サブフィールドＳＦｏの書込み期間Ｐｗ２において、あらかじめ定められた所定色の蛍光体層を有する放電セル、本実施の形態においては３色の蛍光体層のうち、青色の蛍光体層２５Ｂを有する放電セルのデータ電極のみに書込みパルスを印加して書込み放電を発生させている。そのため同期検出放電を発生させる放電セルの数は全体の１／３であり、かつ放電にともなう発光色が輝度の低い青色であるので、同期検出放電にともなう発光の輝度は大幅に抑制される。
【００６２】
またｙ座標検出サブフィールドＳＦｙのｙ座標検出期間Ｐｙでは、データ電極Ｄ１〜Ｄｍにｙ座標検出電圧Ｖｄｙを印加するとともに走査電極ＳＣ１〜ＳＣｎにｙ座標検出パルスを順次印加してｙ座標検出放電を発生させる。そしてこのとき、所定色以外の色の蛍光体層を有する放電セル、本実施の形態においては赤色の蛍光体層２５Ｒおよび緑色の蛍光体層２５Ｇを有する放電セルのデータ電極のみにｙ座標検出電圧Ｖｄｙを印加してｙ座標検出放電を発生させる。そのため、視覚的には画像表示面全体が青の補色である黄色に発光する。さらにｘ座標検出サブフィールドＳＦｘのｘ座標検出期間Ｐｘでは、走査電極ＳＣ１〜ＳＣｎにｘ座標検出電圧Ｖａｘを印加するとともにデータ電極Ｄ１〜Ｄｍにｘ座標検出パルスを順次印加してｘ座標検出放電を発生させる。そしてこのとき、所定色以外の色の蛍光体層を有する放電セル、本実施の形態においては赤色の蛍光体層２５Ｒおよび緑色の蛍光体層２５Ｇを有する放電セルのデータ電極のみにｘ座標検出パルスを順次印加してｘ座標検出放電を発生させる。そのため、視覚的には画像表示面全体が青の補色である黄色に発光する。これらにより座標検出サブフィールド全体では無彩色に近づく。こうして座標検出サブフィールドの発光を、無彩色に近い発光としつつ、輝度を大幅に抑制している。
【００６３】
なお本実施の形態において各電極に印加する電圧値は、例えば、電圧Ｖｉ１＝１５０（Ｖ）、電圧Ｖｉ２＝３５０（Ｖ）、電圧Ｖｉ４＝−１７５（Ｖ）、電圧Ｖａ＝電圧Ｖａｙ＝電圧Ｖａｘ＝−２００（Ｖ）、電圧Ｖｃ＝−５０（Ｖ）、電圧Ｖｓ＝電圧Ｖｓｏ＝２０５（Ｖ）、電圧Ｖｒ＝２０５（Ｖ）、電圧Ｖｅ＝１５５（Ｖ）、電圧Ｖｄ＝電圧Ｖｄｙ＝電圧Ｖｄｘ＝５５（Ｖ）である。しかしこれらの電圧値は一例を挙げたに過ぎず、パネル１０の特性や画像表示装置の仕様等に合わせて、適宜最適な値に設定することが望ましい。
【００６４】
次に、画像表示システムの構成について説明する。
【００６５】
図５は、本発明の実施の形態１における画像表示システム１００の回路ブロック図である。画像表示システム１００は、画像表示装置３０と、描画装置４０と、電子ペン５０とを備える。電子ペン５０は複数本備えていてもよい。
【００６６】
画像表示装置３０は、パネル１０と駆動回路とを備えている。駆動回路は、画像を表示するための画像表示サブフィールドと、同期検出放電を発生させる同期検出サブフィールドと、ｙ座標検出放電を発生させるｙ座標検出サブフィールドと、ｘ座標検出放電を発生させるｘ座標検出サブフィールドと、を含む複数のサブフィールドで１フィールド期間を構成して、パネル１０を駆動する。
【００６７】
駆動回路は、画像信号処理部３１と、データ電極駆動部３２と、走査電極駆動部３３と、維持電極駆動部３４と、制御部３５と、各回路ブロックに必要な電源を供給する電源部（図示せず）とを有する。
【００６８】
画像信号処理部３１は、入力した画像信号と描画装置４０とから出力される画像信号とを切換えて、または合成して、サブフィールド毎の発光・非発光を示す画像データに変換する。また水平および垂直の同期信号を制御部３５に出力する。制御部３５は、同期信号をもとにして各回路ブロックの動作を制御する各種の制御信号を発生し、それぞれの回路ブロックへ供給する。
【００６９】
データ電極駆動部３２は、画像表示サブフィールドにおいては図３に示したように、画像データをデータ電極Ｄ１〜Ｄｍのそれぞれに対応する書込みパルスに変換し、データ電極Ｄ１〜Ｄｍのそれぞれに印加する。また座標検出サブフィールドにおいては図４に示した駆動電圧波形をデータ電極Ｄ１〜Ｄｍのそれぞれに印加する。
【００７０】
走査電極駆動部３３は、制御信号に基づいて、図３および図４に示した駆動電圧波形を走査電極ＳＣ１〜ＳＣｎのそれぞれに印加する。維持電極駆動部３４は、制御信号に基づいて、図３および図４に示した駆動電圧波形を維持電極ＳＵ１〜ＳＵｎのそれぞれに印加する。
【００７１】
電子ペン５０は、画像表示装置３０の画像表示面上から文字や絵などを入力するためのものであり、受光素子５２と、同期検出部５４と、座標算出部５６と、送信部５８とを有し、また電子ペン５０の先端部には接触スイッチ（図示せず）が設けられている。
【００７２】
受光素子５２は、電子ペン５０が画像表示装置３０の画像表示面に接触しているとき、画像表示装置３０の発光を受光して、同期検出部５４および座標算出部５６に受光信号を出力する。
【００７３】
同期検出部５４は、受光信号の中から、あらかじめ定められた所定の数列に対応する時間間隔で発生した発光を検出し、同期検出サブフィールドＳＦｏの同期検出期間Ｐｏの同期検出放電を特定する。そしてｙ座標検出サブフィールドおよびｘ座標検出サブフィールドと同期した座標基準信号を受光信号にもとづき作成する。
【００７４】
図６は、本発明の実施の形態１における画像表示システム１００の位置座標検出方法を説明するタイミングチャートであり、走査電極ＳＣ１〜ＳＣｎ、データ電極Ｄ１〜Ｄｍの駆動電圧波形とともに、受光信号および座標基準信号を示している。本実施の形態において、電子ペン５０の同期検出部５４は、発光の間隔が順に時間Ｔｏ１、時間Ｔｏ２、時間Ｔｏ３となる４個の連続する発光を受光信号の中から探す。そして４個の連続する発光を検出すると、その発光の１つ、例えば時刻ｔｏ１に発生した発光を基準とし、あらかじめ決められている時間Ｔｏｙおよび時間Ｔｏｘに基づいて、ｙ座標検出期間Ｐｙの開始時刻ｔｙ０とｘ座標検出期間Ｐｘの開始時刻ｔｘ０とに立上りを有する座標基準信号を作成し、座標算出部５６に出力する。
【００７５】
座標算出部５６は、時間の長さを計測するためのカウンタと、カウンタの出力に演算を施す演算回路とを備える。そして電子ペン５０が指し示す画像表示面のｘ座標およびｙ座標を、座標基準信号および受光信号にもとづき算出する。
【００７６】
図７は、本発明の実施の形態１における画像表示システム１００の位置座標検出方法を説明する模式図である。上述したように、ｙ座標検出サブフィールドＳＦｙのｙ座標検出期間Ｐｙでは、画像表示面の上端部から下端部まで移動する黄色の横線Ｌｙが表示される。そして電子ペン５０が指し示す画像表示面の座標（ｘ、ｙ）を横線Ｌｙが通過する時刻ｔｙｙにおいて、電子ペン５０の受光素子は横線Ｌｙの発光を受光する。そのため、受光素子は、図６に示したように時刻ｔｙｙで受光を示す受光信号を出力する。
【００７７】
またｘ座標検出サブフィールドＳＦｘのｘ座標検出期間Ｐｘでは、画像表示面の左端部から右端部まで移動する黄色の縦線Ｌｘが表示される。そして電子ペン５０が指し示す画像表示面の座標（ｘ、ｙ）を縦線Ｌｘが通過する時刻ｔｘｘにおいて、電子ペン５０の受光素子は縦線Ｌｘの発光を受光する。そのため、受光素子は、図６に示したように時刻ｔｘｘで受光を示す受光信号を出力する。
【００７８】
座標算出部５６は、電子ペン５０が指し示す画像表示装置３０の表示画面上の座標（ｘ、ｙ）を、制御部３５から出力される座標基準信号と受光素子５２から出力される受光信号にもとづき算出する。例えばｙ座標検出期間Ｐｙにおいて、時刻ｔｙ０から時刻ｔｙｙまでの時間を時間Ｔｙｙ、最初にｙ座標検出パルスを印加するまでの時間を時間Ｔｙ０、ｙ座標検出パルスを印加する周期を時間Ｔｙ１とすると、時間（Ｔｙｙ−Ｔｙ０）を時間Ｔｙ１で除算してｙ座標を求めることができる。またｘ座標検出期間Ｐｘにおいて、時刻ｔｘ０から時刻ｔｘｘまでの時間を時間Ｔｘｘ、最初にｘ座標検出パルスを印加するまでの時間を時間Ｔｘ０、ｘ座標検出パルスを印加する周期を時間Ｔｘ１とすると、時間（Ｔｘｘ−Ｔｘ０）を時間Ｔｘ１で除算してｘ座標を求めることができる。
【００７９】
このようして座標算出部５６は、電子ペン５０が指し示す画像表示面の座標（ｘ、ｙ）を求める。
【００８０】
送信部５８は、座標算出部５６が算出したｘ座標およびｙ座標をエンコードして描画装置４０の受信部４２に無線で送信する。
【００８１】
描画装置４０は、電子ペン５０が指し示す画像表示面の座標（ｘ、ｙ）に基づき画像信号を作成する。この画像信号は、使用者が描画した画像を表示するためのものである。描画装置４０は、受信部４２と、描画部４６とを有する。
【００８２】
受信部４２は、電子ペン５０から送信された座標（ｘ、ｙ）を受信して描画部４６に出力する。
【００８３】
描画部４６はフレームメモリを備え、受信部４２で受信した座標（ｘ、ｙ）にもとづき、画像表示面上の電子ペン５０の軌跡を示す描画信号を作成して、画像表示装置３０に出力する。
【００８４】
図８は、本発明の実施の形態における画像表示システム１００の描画の一例を示す模式図である。描画部４６は、座標算出部５６が算出した座標（ｘ、ｙ）に対応する画素を中心に、所定の色および大きさの丸などのパターンをフレームメモリに書込む。使用者が電子ペン５０を画像表示装置３０の画像表示面に接触させたまま移動させると、座標算出部５６が算出する座標（ｘ、ｙ）も移動する。そして描画部４６は移動する座標（ｘ、ｙ）を中心に所定のパターンをフレームメモリに順次書き込む。こうして描画部４６は、図８に示したように、画像表示面上の電子ペン５０の軌跡を示す描画信号を作成する。
【００８５】
そして画像表示装置３０の画像信号処理部３１は、入力した画像信号と描画部４６から出力される描画信号とを合成し、サブフィールド毎の発光・非発光を示す画像データに変換する。これにより、電子ペン５０で書いた画像と入力した画像信号の画像とが重畳されて表示される。
【００８６】
以上のように本実施の形態においては、同期検出サブフィールドＳＦｏにおいて、同期検出放電を発生させる放電セルを、あらかじめ定められた所定色の蛍光体層を有する放電セルに制限することにより、座標検出サブフィールドの発光の輝度を抑制した。またｙ座標検出サブフィールドＳＦｙおよびｘ座標検出サブフィールドＳＦｘにおいて、発光させる放電セルを所定色以外の蛍光体層を有する放電セルに制限することにより、画像表示面全体を所定色の補色に発光させて、座標検出サブフィールドの全体の発光色を、無彩色に近づけている。
【００８７】
なお上記に加えて、同期検出放電を発生させる放電セルをさらに制限し、また同期検出放電の回数を削減することにより、さらに座標検出サブフィールドの発光の輝度を抑制することができる。以下に、その一例について説明する。
【００８８】
（実施の形態２）
図９は、本発明の実施の形態２における画像表示システムのパネル１０に印加する駆動電圧波形図であり、座標検出サブフィールドのそれぞれにおいてパネル１０の各電極に印加する駆動電圧波形を示している。
【００８９】
ｙ座標検出サブフィールドＳＦｙ、およびｘ座標検出サブフィールドＳＦｘについては実施の形態１と同様であるので説明を省略し、同期検出サブフィールドＳＦｏについて詳細に説明する。
【００９０】
同期検出サブフィールドＳＦｏの初期化期間Ｐｉは、実施の形態１と同様である。
【００９１】
同期検出サブフィールドＳＦｏの書込み期間Ｐｗ２では、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧Ｖｃを印加する。その後、青のサブピクセルに対応する放電セルのデータ電極Ｄ３、Ｄ６、Ｄ９、・・・、Ｄｍに電圧Ｖｄの書込みパルスを印加するとともに、フィールド毎に定められた特定の走査電極に電圧Ｖａの走査パルスを印加する。こうして、青のサブピクセルに対応する放電セルであってかつ特定の走査電極を有する放電セルで書込み放電を発生させて画像表示面を青色に発光させる。
【００９２】
特定の走査電極は、各フィールドに対して以下の規則にもとづき設定される。時間的に連続するＮフィールド（Ｎは自然数）を１つのフィールド群とし、連続して配置されたＮ本の走査電極を１つの走査電極群とする。そして、
（規則１）１つのフィールドに対して走査パルスを印加する特定の走査電極は、それぞれの走査電極群の中で１つである。
（規則２）１つの走査電極に対して走査パルスを印加するフィールドは、それぞれのフィールド群の中で１つである。
【００９３】
図１０は、本発明の実施の形態２における画像表示システムの特定の走査電極とフィールドとの関係を示す図であり、Ｎ＝２の例を示している。ここで横方向は時間軸方向でありフィールドを現している。また縦方向はパネルの上下方向に対応した走査電極を表している。そしてフィールドＦｊ〜Ｆｊ＋１が１つのフィールド群を、走査電極ＳＣｉ〜ＳＣｉ＋１が１つの走査電極群を構成している。さらに「○」は走査パルスを印加することを示し、「×」は走査パルスを印加しないことを示している。
【００９４】
図１０から明らかなように本実施の形態においては、フィールド毎に、奇数番目の走査電極ＳＣ１、ＳＣ３、・・・、と偶数番目の走査電極ＳＣ２、ＳＣ４、・・・、とを交互に特定の走査電極とする。そして同期検出サブフィールドＳＦｏの書込み期間Ｐｗ２では、全走査電極の約半分の走査電極に走査パルスが印加され、全放電セルの約１／３のデータ電極Ｄ３、Ｄ６、Ｄ９、・・・、Ｄｍに書込みパルスが印加される。したがって全放電セルの約１／６の放電セルで書込み放電が発生する。
【００９５】
このとき青のサブピクセルに対応する放電セルのデータ電極Ｄ３、Ｄ６、・・・、Ｄｍに書込みパルスを一斉に印加するとともに、特定の走査電極の全てに走査パルスを一斉に印加して、上述した約１／６の放電セルの全てで一斉に書込み放電を発生させる。
【００９６】
その後、データ電極Ｄ１〜Ｄｍに電圧０（Ｖ）を印加し、走査電極ＳＣ１〜ＳＣｎに電圧Ｖｃを印加する。
【００９７】
同期検出サブフィールドＳＦｏの同期検出期間Ｐｏでは、一斉に書込み放電を発生させた時刻ｔｏ０から時間Ｔｏ０経過後の時刻ｔｏ１において、走査電極ＳＣ１〜ＳＣｎに電圧Ｖｓｏの同期検出パルスを印加するとともに維持電極ＳＵ１〜ＳＵｎに電圧０（Ｖ）を印加して、上述した約１／６の放電セルで同期検出放電を発生させて画像表示面を青色に発光させる。次に、時刻ｔｏ１から時間Ｔｏ１経過後の時刻ｔｏ２において、走査電極ＳＣ１〜ＳＣｎに電圧０（Ｖ）を印加するとともに維持電極ＳＵ１〜ＳＵｎに同期検出パルスを印加して、上述した約１／６の放電セルで再び同期検出放電を発生させて画像表示面を青色に発光させる。
【００９８】
ここで、時間Ｔｏ０、時間Ｔｏ１はあらかじめ定められた時間間隔であり、時間Ｔｏ０、時間Ｔｏ１の間隔で発生する３回の放電を検出することで同期検出放電を特定する。本実施の形態において、時間Ｔｏ０、時間Ｔｏ１は、例えばそれぞれ５０μｓ、４０μｓである。
【００９９】
このように実施の形態２においては、同期検出放電を発生する放電セルは全放電セルの約１／６であり、その発光色は輝度の低い青色の発光である。さらに発光の回数は、書込み期間Ｐｗ２に１回と同期検出期間Ｐｏに２回の合計３回である。そのため、同期検出サブフィールドＳＦｏにおける輝度を実施の形態１における輝度よりもさらに低下させることができる。
【０１００】
なお、実施の形態１においては、ｙ座標検出期間Ｐｙに、放電セル行を１行分ずつ順次発光させて、画像表示面の上端部から下端部まで移動する横線を示した。しかし本発明はこれに限定されるものではない。例えば、放電セル行を２行分ずつ順次発光させて移動する横線を表示してもよく、また放電セル行を１行おきに発光させて移動する横線を表示してもよい。同様に、ｘ座標検出期間Ｐｘにおいても、放電セル列を任意の複数列ずつ順次発光させてもよく、また放電セル列を複数列おきに発光させてもよい。これにより輝度をさらに低下させるとともに、ｙ座標検出サブフィールドＳＦｙ、ｘ座標検出サブフィールドＳＦｘに要する時間を短くすることができる。
【０１０１】
また、実施の形態１、２においては、同期検出サブフィールドＳＦｏにおける輝度の低下を優先させるために、赤色、緑色、青色のうち、輝度の最も低い青色を所定色として設定した。しかしながら本発明はこれに限定されるものではなく、他の色を所定色として設定してもよい。
【０１０２】
また実施の形態において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【０１０３】
本発明は、大画面、高精細度パネルを電子黒板として応用する場合であっても、コントラストの低下を抑制しつつ、座標検出のための発光を発生させることができるので、画像表示装置、その駆動方法、および電子ペンを用いて描画可能な画像表示システムとして有用である。
【符号の説明】
【０１０４】
１０    パネル
１２    走査電極
１３    維持電極
２２    データ電極
３０    画像表示装置
３１    画像信号処理部
３２    データ電極駆動部
３３    走査電極駆動部
３４    維持電極駆動部
３５    制御部
４０    描画装置
４２    受信部
４６    描画部
５０    電子ペン
５２    受光素子
５４    同期検出部
５６    座標算出部
５８    送信部
１００    画像表示システム
【図１】
2015165252.tif 000003
【図２】
2015165252.tif 000004
【図３】
2015165252.tif 000005
【図４】
2015165252.tif 000006
【図５】
2015165252.tif 000007
【図６】
2015165252.tif 000008
【図７】
2015165252.tif 000009
【図８】
2015165252.tif 000010
【図９】
2015165252.tif 000011
【図１０】
2015165252.tif 000012